(57)【要約】【課題】  キーボード、及び組み合わせにより入力する文字を区別する入力装置において、解りやすい文字配列の指標を示す。【解決手段】  ｗとｕ、ｙとｉを関連付けて配置し、ｗ行ｕ段に「。」、ｙ行ｉ段に「、」、ｙ行ｅ段に「ん」を配置する。【選択図】  図１
2005128827.tif 000002
【特許請求の範囲】
【請求項１】
左右対となっている入力装置、あるいは（左右対となっている入力装置も含めて）２回の入力で１文字を入力する入力装置において、右手あるいは２回目の「い段」と対称位置あるいは同じ位置あるいは同じ組み合わせの左手あるいは１回目に「や行」を配置し、右手あるいは２回目の「う段」と対称位置あるいは同じ位置あるいは同じ組み合わせの左手あるいは１回目に「わ行」を配置することを特徴とするコンピュータの入力装置。
【請求項２】
請求項１の特徴を持ち、「わ行」の「う段」を指定した時に「。」が入力され、「や行」の「い段」を指定した時に「、」が入力されることを特徴とするコンピュータの入力装置。
【請求項３】
請求項２の特徴を持ち、「や行」の「え段」を指定した時に「ん」が入力されることを特徴とするコンピュータの入力装置。
【請求項４】
請求項１〜３のいずれかの特徴を持ち、５本指に対応する５個のボタンを備えた入力装置を左右一対あるいは片方だけ持ち、押す組み合わせによって入力する文字を区別する入力装置で、ノート型パソコン及び携帯型情報処理装置には、その左右あるいは片方に該入力装置を備え更に着脱可能となっているものもあり、デスクトップ型パソコンには、左右が本体と分離した該入力装置を備えており、共に両手を使っての入力と片手だけの入力も可能となっている入力装置。
【請求項５】
請求項４の特徴を持ち、５個のボタンを押す組み合わせのうち、１個のボタンしか押さない組み合わせ５通りと、２個のボタンを押す組み合わせ１０通りを隣り合う指を押す（親指と小指も隣り合い輪になっていると考える）５通りと一つ離れた指を押す５通りに分け、５×３のセットを作り、これに子音側「あかさたなはまやらわがざだばぱ」を解りやすいように配置する（は、ぱ、ばをそれぞれちがうセットの同じ位置に配置するなど）ことと、母音側「あいうえお」を１個のボタンしか押さない組み合わせに配置することを特徴とするコンピュータの入力装置。
【発明の詳細な説明】
【技術分野】
【０００１】
本発明は、コンピュータの入力装置に関するもので、現在主流になっているものはキーボードである。
【背景技術】
【０００２】
現在、コンピュータの入力装置としては、キーボードが主に使用されている。
【発明の開示】
【発明が解決しようとする課題】
【０００３】
広く普及した従来のキーボードでは、文字の配列に規則性がなく、また片手分５個のボタンがあり押す組み合わせによっての入力をする場合、その指標となるものが存在していなかった。さらに従来のキーボードでは、ノートパソコンに付属のものでも、手で持ちながら入力するといったことは不可能である。そこで手軽に立ち読みするといった用途や、手軽にものを書くといった用途ではあまり使用されていない。またデスクトップパソコン用のキーボードでも入力する際に手の位置が決められてしまう。
【０００４】
本発明は、文字の配列に規則性をもたせ、また片手分５個のボタンがあり押す組み合わせにより入力される文字を区別する装置の文字配列の指標を示すことを目的としている。さらにノートパソコンを手に持ちながら文字の入力が出来るようにすることにより、手軽にものを書く、また読むことを可能とするものである。そして、デスクトップパソコンにおいては、自由な格好で入力することを可能とすることにより、気軽にパソコンを使えるようになる、また手にかかる負担を軽減することを目的としている。
【課題を解決するための手段】
【０００５】
上記目的を達成するために、請求項１に係る発明では、や行の子音、ローマ字表記でのｙが、まりあ（ｍａｒｉａ）とまりや（ｍａｒｉｙａ）の区別が曖昧であることからも解るように本来ｉであること、およびわ行の子音、ローマ字表記でのｗが、うーあ（ｕ−ａ）とうーわ（ｕ−ｗａ）の区別が曖昧であることからも解るように本来ｕであることに注目して、ｉの入力ボタンあるいは組み合わせに対称的な位置あるいは同じ位置あるいは組み合わせにｙを置き、ｕの入力ボタンあるいは組み合わせに対称的な位置あるいは同じ位置あるいは組み合わせにｗを置くことを特徴とする入力装置としている。
【０００６】
また、請求項２に係る発明では、わ行う段（ｗの本質はｕなので、ｕｕとなり「う」となってしまう）に発音するときの口の形から連想できる「。」を割り当て、や行い段（ｙの本質はｉなので、ｉｉとなり「い」となってしまう）に発音するときの口の形から連想できる「、」を割り当てることを特徴とする入力装置としている。
【０００７】
また、請求項３に係る発明では、過去に失われてしまったや行え段に「ん」を割り当てることを特徴とする入力装置としている。
【０００８】
また、請求項４に係る発明では、ボタンの数を５個とすることで、キーボードの様に大きくならず、握って使えるようにし、ボタンが減った分のマイナス面を、組み合わせによる入力方法を採用することにより克服している。単純なボタンで問題があるようなら、押している力の大きさを検出できるデバイスを使用し、力の大きさの変化を捉えて、入力に反映させるといった方法がある。握って使えるためノートパソコンや携帯型情報処理装置では、持ちながらの入力が可能となっており、２回の入力で１文字を入力する場合は片方のみでの入力が可能となり、この場合は片方をはずしてしまっても構わない。またデスクトップパソコン用、あるいはノートパソコンや携帯型情報処理装置を適切な場所に置いて入力装置部分を本体から切り離して使う場合、キーボードと比較するととても自由な位置での入力が可能となっている。こちらも片手のみでの入力も可能となっている。
【０００９】
また、請求項５に係る発明では、日本語の子音が（あ行も子音とすると）「あかさたな、はまやらわ、がざだばぱ」と１５個あり、５個のボタンを押す組み合わせも、１個だけ押す組み合わせの５通り、２個押す組み合わせの１０通りの計１５通りにちょうど割り当てる事ができる。また２個押す組み合わせも、小指と親指が隣同士で指が輪のようになっていると考えると、隣り合う指を押す５通りと一つ離れた指を押す５通りに分けることができる。この３組に例えば「らわあはや」「たさまぱか」「だざなばが」と割り当てる事ができる。
【発明の効果】
【００１０】
本発明は、以上説明したように構成されているので、以下に記載されるような効果を奏する。
【００１１】
キーボードに、日本語の特性を考えた配置を導入する事により、キーの配列が覚えやすくなる。また、片手分５個のボタンを持ち組み合わせによって入力する文字を区別する入力装置の文字配列の指標を示した。
【００１２】
ノート型パソコン及び携帯型情報処理装置で、手で持ちながらの入力が可能となる。これにより、気軽に立ち読みが出来るようになる。また手で持ちながら、文章を入力することも出来る。デスクトップ型パソコンにおいては、左右分離する装置を握ることによって操作するため、自由な格好での入力が可能となる。これによりいろいろな姿勢での入力が可能になり、また手にかかる負担も軽減することができる。
【００１３】
本発明の装置により、パソコンが情報を伝達する用途での紙の代わりとなることが期待され、紙の保管スペース、印字コストの削減、なにより紙資源の節約が出来る。
【発明を実施するための最良の形態】
【００１４】
発明の実施の形態を図面を参照して説明する。
図１は、左右対となっている入力装置の例を示している。ここでは、左手側のｗに対応して、右手側にはｕが配置されている。また左手側のｙに対応して、右手側にはｉが配置されている。図２では、２回の入力で１文字を入力する入力装置の例を示している。ここでは、１回目のｗに対応して、２回目のｕが配置されている。また１回目のｙに対応して、２回目のｉが配置されている。図３では、組み合わせによって入力する文字を区別する入力装置の左右対となる場合と２回の入力で１文字を入力する場合を示している。ここでは、左手または１回目の入力のｗに対応して、右手または２回目の入力のｕが配置されている。また左手または１回目の入力のｙに対応して、右手または２回目の入力のｉが配置されている。
【００１５】
図４は、ノート型パソコン及び携帯型情報処理装置で５本指に対応する５個のボタンを備えた着脱不可能な入力装置を左右に備えるものの正面図で、図５が裏面図である。図６は、ノート型パソコン及び携帯型情報処理装置で５本指に対応する５個のボタンを備えた着脱可能な入力装置を左右に備えるものの正面図で、図７が着脱可能部左側の裏面図である。これにより、押す組み合わせにより入力する文字を区別し、手に持っての入力が可能となる。図６、図７の着脱可能部は、デスクトップ型パソコン用の入力装置と同じと考える事ができる。デスクトップ型パソコンでは、自由な位置での入力が可能となる。
【００１６】
図８は、５個のボタンを押す組み合わせに、どのように子音、母音を割り当てるのかの一例を示したものである。これは、あくまで一例であり、これでないといけないという訳ではない。ここでは、「はぱば」を薬指を押す組み合わせに割り当てており、また「がざだ」も「かさた」と関連する組み合わせに割り当てている。
【図面の簡単な説明】
【００１７】
【図１】左右対となっているキーボードタイプの入力装置の例である。ここでは１段のみを示し、ｗ、ｙ、ｕ、ｉだけ配置を示した。
【図２】２回の入力で１文字を入力するキーボードタイプの入力装置の例である。ここでは左手用で、１段のみを示し、ｗ、ｙ、ｕ、ｉだけ配置を示した。
【図３】組み合わせによって入力する文字を区別する入力装置のｗ、ｙ、ｕ、ｉ、の組み合わせを示した。
【図４】ノート型パソコン及び携帯型情報処理装置で５本指に対応する５個のボタンを備えた着脱不可能な入力装置を左右に備えるものの正面図である。
【図５】ノート型パソコン及び携帯型情報処理装置で５本指に対応する５個のボタンを備えた着脱不可能な入力装置を左右に備えるものの裏面図である。
【図６】ノート型パソコン及び携帯型情報処理装置で５本指に対応する５個のボタンを備えた着脱可能な入力装置を左右に備えるものの正面図である。
【図７】図６の装置の着脱可能部左側の裏面図である。
【図８】５個のボタンを押す組み合わせに、どのように子音、母音を割り当てるのかの一例を示したものである。
【図１】
2005128827.tif 000003
【図２】
2005128827.tif 000004
【図３】
2005128827.tif 000005
【図４】
2005128827.tif 000006
【図５】
2005128827.tif 000007
【図６】
2005128827.tif 000008
【図７】
2005128827.tif 000009
【図８】
2005128827.tif 000010